(57)【要約】  区域内の人の存在を監視するために、該区域は少なくとも２つの副区域に分割され、該少なくとも２つの副区域の各々に対し、対応する副区域の境界に関して少なくとも１つの検出ラインが定められる。該検出ラインは、対応する副区域への侵入及び／又は該副区域からの退出を印す。監視の範囲内で、移動する人が対応する副区域に侵入し及び／若しくは該副区域を退出しているかが該対応する副区域の少なくとも１つの検出ラインを用いて検出され、並びに／又は上記移動する人が対応する副区域に侵入し若しくは該副区域を退出することが予測されるかが該対応する副区域の少なくとも１つの検出ラインを用いて検出される。
2015512042.tif 000002
【特許請求の範囲】
【請求項１】
区域内の人の存在を監視する装置であって、前記区域が少なくとも２つの副区域に分割され、これら少なくとも２つの副区域の各々に対して、対応する副区域の境界に関して少なくとも１つの検出ラインが定められ、該検出ラインは対応する副区域の侵入及び／若しくは退出を印し、当該装置が、移動する人が対応する副区域に侵入し若しくは該副区域を退出するかを該対応する副区域の前記少なくとも１つの検出ラインを使用することにより検出し、並びに／又は前記移動する人が前記対応する副区域に侵入すると若しくは該副区域を退出すると予測されるかを該対応する副区域の前記少なくとも１つの検出ラインを使用することにより検出するための検出ステップを実行する装置。
【請求項２】
前記人が前記対応する副区域に向かって又は該副区域内へと移動することにより該対応する副区域の前記少なくとも１つの検出ラインを横切る際に、該人を該対応する副区域に侵入するとして検出するステップと；
前記人が前記対応する副区域外へ又は該副区域から離れる方向に移動することにより該対応する副区域の前記少なくとも１つの検出ラインを横切る際に、該人を該対応する副区域を退出するとして検出するステップと；
前記人が前記対応する副区域に向かって移動することにより該対応する副区域の前記少なくとも１つの検出ラインに向かって移動すると計算された場合に、該人を該対応する副区域に侵入することが予測されるとして検出するステップと；
前記人が前記対応する副区域の出口に向かって移動することにより該対応する副区域の前記少なくとも１つの検出ラインに向かって移動すると計算された場合に、該人を該対応する副区域を退出することが予測されるとして検出するステップと；
前記人が前記区域に侵入しているか又は該区域を退出しているかを決定するステップと；
前記人が前記区域に侵入すると予測されるか又は該区域を退出すると予測されるかを決定するステップと；
前記人が１つの副区域から他の副区域へ移動しているかを決定するステップと；
前記人が１つの副区域から他の副区域へ移動することが予測されるかを決定するステップと、
のうちの少なくとも１つを実行する、請求項１に記載の装置。
【請求項３】
前記検出ステップを：
前記区域と前記少なくとも２つの副区域との間の一群の方向関係と；
前記区域及び／若しくは前記少なくとも２つの副区域に対する一群の侵入並びに／又は退出条件と、
のうちの少なくとも１つを使用することにより実行する、請求項１又は請求項２に記載の装置。
【請求項４】
前記一群の方向関係のうちの少なくとも１つの方向関係が：前記区域における対応する副区域の位置と；前記区域における対応する副区域につながる少なくとも１つの経路とのうちの少なくとも１つを指定し、
前記侵入及び／又は退出条件のうちの少なくとも１つが、前記領域の及び／若しくは前記対応する副区域の少なくとも１つの入口並びに／又は少なくとも１つの出口を指定する、
請求項３に記載の装置。
【請求項５】
前記検出ステップを前記人の移動軌跡を計算することにより実行する、請求項１ないし４の何れか一項に記載の装置。
【請求項６】
前記検出ステップを、１つの検出ラインの横断と、対応する副区域に侵入するための他の検出ラインの更なる横断との間の時間間隔を測定すると共に、前記人が向かって移動している目標副区域を計算するために該測定された時間間隔を使用することにより実行する、請求項１ないし５の何れか一項に記載の装置。
【請求項７】
当該装置が該装置の観察区域内の人の存在を監視する、請求項１ないし６の何れか一項に記載の装置。
【請求項８】
前記少なくとも１つの検出ラインが、前記観察区域の境界に対して定められ、
前記一群の方向関係が、前記観察区域に対して指定され、
前記少なくとも１つの経路が前記観察区域に含まれ、
前記一群の方向関係が、前記観察区域において前記対応する副区域の位置への方向を指定する少なくとも１つの方向関係を有し、
前記一群の侵入及び／若しくは退出条件が、前記観察区域に対して指定され、並びに／又は
前記移動軌跡が、前記観察区域において計算される、
請求項７に記載の装置。
【請求項９】
前記観察区域が格子として構成される、請求項７又は請求項８に記載の装置。
【請求項１０】
前記観察区域の格子を、該格子に現在使用されているセグメントよりも小さなセグメントに該格子を分割する、及び／若しくは該格子に現在使用されているセグメントよりも大きなセグメントに該格子を分割することにより再計算する；
前記検出ラインを少なくとも２つの新たな検出ラインに分割し、該少なくとも２つの新たな検出ラインを検出目的で使用する；並びに／又は
少なくとも２つの検出ラインを１つの検出ラインへと結合し、該１つの検出ラインを検出目的で使用する、
請求項１ないし９の何れか一項に記載の装置。
【請求項１１】
前記検出ステップを実行する方向移動センサを有し、該方向移動センサが超低分解能撮像センサであり、該超低分解能撮像センサが赤外線センサ及び／又はカメラ型センサである、請求項１ないし１０の何れか一項に記載の装置。
【請求項１２】
区域内の人の存在を監視する方法であって、前記区域が少なくとも２つの副区域に分割され、これら少なくとも２つの副区域の各々に対して、対応する副区域の境界に関して少なくとも１つの検出ラインが定められ、該検出ラインは対応する副区域の侵入及び／又は退出を印し、当該方法が、移動する人が対応する副区域に侵入し若しくは該副区域を退出するかを該対応する副区域の前記少なくとも１つの検出ラインを使用することにより検出する、及び／又は前記移動する人が前記対応する副区域に侵入すると若しくは該副区域を退出すると予測されるかを該対応する副区域の前記少なくとも１つの検出ラインを使用することにより検出するステップを有する、方法。
【請求項１３】
請求項１ないし１１の何れか一項に記載の区域内の人の存在を監視する装置を有するシステム。
【請求項１４】
前記区域内の人の数、及び／又は前記少なくとも２つの副区域における少なくとも１つの副区域内の人の数を計数するステップと；
前記区域の及び／又は前記少なくとも２つの副区域における少なくとも１つの副区域の利用状態を計算するステップと；
或る期間にわたる前記区域の及び／又は前記少なくとも２つの副区域における少なくとも１つの副区域の利用度の変化を監視するステップと；
前記区域内の人の数及び／又は前記少なくとも２つの副区域における少なくとも１つの副区域内の人の数、並びに前記区域の及び／又は前記少なくとも２つの副区域における少なくとも１つの副区域の利用状態のうちの少なくとも１つを、現在の検出結果を使用することにより訂正するステップと；
のうちの少なくとも１つを実行することにより前記区域内の及び／若しくは前記副区域内の人の存在に関する情報を計算し、並びに／又は
前記区域内の人の予測される数及び／若しくは前記少なくとも２つの副区域における少なくとも１つの副区域内の人の予測される数を計算するステップと；
前記区域の及び／若しくは前記少なくとも２つの副区域における少なくとも１つの副区域の予測される利用状態を計算するステップと；
前記区域内の人の予測される数及び／若しくは前記少なくとも２つの副区域における少なくとも１つの副区域内の人の予測される数、並びに前記区域の及び／若しくは前記少なくとも２つの副区域における少なくとも１つの副区域の予測される利用状態のうちの少なくとも１つを、現在の検出結果を使用することにより訂正するステップと；
のうちの少なくとも１つを実行することにより前記区域内の及び／又は前記副区域内の人の予測される存在に関する情報を計算する、
請求項１３に記載のシステム。
【請求項１５】
前記区域内の及び／又は前記副区域内の人の存在に関する前記計算された情報を制御装置に伝送し、該制御装置が、前記区域内に設置された少なくとも１つの被制御装置を、該被制御装置の動作を前記区域内の及び／若しくは前記少なくとも２つの副区域内の人の存在に関して、並びに／又は前記区域内の及び／若しくは前記少なくとも２つの副区域内の人の計算された予測される存在に関して調整することにより制御する、請求項１３又は請求項１４に記載のシステム。
【発明の詳細な説明】
【技術分野】
【０００１】
本発明は、区域内の人の存在を監視する装置、方法及びシステムに関する。
【背景技術】
【０００２】
例えばエネルギ及び建物利用率の監視、又は建物の利用に関する正確な知識若しくは建物の運用の連続した監視及び調査を必要とするサービス機会等の照明及び先進的ビル制御は、益々複雑となり、実際の空間利用率及び当該建物の利用者の個々のニーズに適合されるようになってきている。このような制御システムの目標は、例えば、部屋の利用に依存して、室内に居る人の数に依存して及び／又は室内の何処に人が居るかに依存して、最適な照明又は室温を提供することにより、当該建物内に居る人に最適な環境を提供することである。オフィス及び作業空間は、通常、明確に構造化されていると共に、仕事区域は例えば机の配置を介して明確に定められる。仕事区域は、個人化される及び利用者に適合される制御のための適切な細かさ（粒度）を示す。このように、仕事区域における人の存在（及び全体的存在）は、知るべき重要な情報である。
【０００３】
部屋若しくは区域における人の存在及び／又は数を検出するための、並びに部屋若しくは区域の仕事区域又は副区域における人の存在及び／又は数を検出するための強くて低コストのセンサ解決策が必要とされる。該センサ解決策は、専用の制御手段により指定可能でなければならない。この必要性は、非永久的に設置される監視システム（例えば、建物及びその利用度を監査するために使用される）、及び永久的に設置される、先進のリアルタイム制御アプリケーション（例えば、存在制御型仕事照明又は需要主導型換気）の両方に当てはまる。
【０００４】
部屋が利用されているか否かについての二値情報を示す、存在感知のための既知の標準的方法は、部屋内の人の数に依存する個々の仕事区域を目標とする概念及び／又は需要指導型方式（例えば、換気制御）には適していない。
【０００５】
既知の専用の存在センサ（人感センサ）が使用される場合、個々の仕事区域に対して、対応する専用の存在センサが設置されることが必要である。従って、斯かる専用の存在センサの使用は、設置されるべき部品の数に関して、及び設置された部品の保守に関して費用の掛かる解決策となる。
【０００６】
既知の高解像度カメラに基づく解決策は、人の位置特定、追跡及び／又は計数のための要素を有し得る。しかしながら、高解像度カメラに基づく解決策は、依然として高価であると共に、高解像度カメラを介して監視される人の認識性により本来的にプライバシ問題を有している。これらの欠点は、高解像度カメラに基づく解決策を、投資者の観点（特に、高い実施コストにより）から及びユーザの観点（特に、低い容認度により）からの両方から非魅力的にさせる。
【０００７】
人を計数するための既知の伝統的なセンサ解決策は、信頼性が低いと共に複雑な設置対策（例えば、二重のレーザゲート）を必要とするか、又は位置特定情報を容易に提供することはできないかの何れかである。
【０００８】
更に、単純な赤外線（ＩＲ）撮像に基づく既知の人計数器は、小さな有効範囲面積（例えば、天井灯により制限される）しか有さず、単一の入／出情報、即ち人が区域若しくは部屋に入ったか（“入情報”とも称する）又は区域若しくは部屋を出たか（“出情報”とも称する）についての情報しか供給しない。
【０００９】
例えば、特開平11-219437号公報は、各カメラが自身の監視区域に設置されたｎ個の赤外線カメラ及び該ｎ個のカメラの画像を分析するカウンタを使用した、人を計数するシステムを開示している。
【００１０】
このように、既知の監視システム及び既知の解決策の少なくとも上述した欠点を除去及び解決する、区域又は部屋内の人の存在監視のための改善された解決策に対する需要が依然として存在する。
【発明の概要】
【発明が解決しようとする課題】
【００１１】
本発明の目的は、区域又は部屋内の人の存在を監視するための改善された解決策を提供することである。
【課題を解決するための手段】
【００１２】
上記目的は、独立請求項のフィーチャにより達成される。
【００１３】
本発明は、監視されるべき区域又は部屋の分割に、即ち区域又は部屋が幾つかの副区域（部分区域）又は副部屋に各々分割されることに基づいている。更に、本発明は仕立てられた人の位置特定コンセプトを有し、該コンセプトによれば方向運動の感知又は検出が実施される（例えば、監視装置として方向運動センサを使用することにより）。このようにして、例えばセンサ等の人の存在を監視する装置の有効範囲又は観察区域を、監視される区域又は部屋より小さくすることができる。更に、当該装置の有効範囲又は観察区域が、人が居る全監視区域及び／又は監視副区域若しくは副部屋をカバーすることは必須ではない。本発明によれば、副区域又は副部屋の侵入及び退出を監視する（従って、カバーする）だけで十分である。というのは、監視目的のために、本発明は、副区域又は副部屋の利用状態を計算するために、該副区域若しくは副部屋の侵入又は退出イベントに関する情報を利用するからである。この情報は、（全）区域若しくは部屋の監視／見張りを行うことなく、及び／又は少なくとも１つの（全）副区域若しくは副部屋の監視／見張りを行うことなく、方向的移動の感知又は検出を実行することにより導出することができる。このようにして、人が居る副区域はプライバシシェル（私的空間）として保たれる。
【００１４】
本発明の一態様においては、区域内の人の存在を監視するように構成された装置が提供され、その場合において、前記区域は少なくとも２つの副区域に分割され、これら少なくとも２つの副区域の各々に対して、対応する副区域の境界に関して少なくとも１つの検出ラインが定められ、該検出ラインは対応する副区域の侵入及び／若しくは退出を印し（記録し）、当該装置は、移動する人が対応する副区域に侵入し若しくは該副区域を退出しているかを該対応する副区域の前記少なくとも１つの検出ラインを使用することにより検出し、並びに／又は前記移動する人が前記対応する副区域に侵入し若しくは該副区域を退出すると予測されるかを該対応する副区域の前記少なくとも１つの検出ラインを使用することにより検出するための検出ステップを実行するように構成される。本発明の該装置は、区域内の人の存在の効率的で安価な検出を可能にし、その場合において、上記存在とは当該区域における人の現在の実際の存在を、及び／又は予測される若しくは期待される存在を指すことができ、移動方向から、人が何処へ移動しているかが検出される。更に、侵入及び／又は退出イベントの信頼性のある検出が、特に副区域への分割を実施すると共に斯かる副区域に関連される検出ラインを使用することにより可能にされる。上記侵入及び／又は退出イベントとは、対応する副区域（及び／又は区域）の既に発生した侵入及び／若しくは退出イベント、並びに／又は対応する副区域（及び／又は区域）の予測される若しくは期待される侵入及び／又は退出イベントを指すことができる。更に、本発明による検出は、複雑な計算を要することなく、効率的且つ資源節約的な方法で実施することができる。本発明の解決策は、人の認識を行うことを必ずしも必要とせず、従って、監視される区域に出入りする人のプライバシを侵害することがない。更に、本発明による上記検出ライン及び監視される区域の副区域への分割を用いることにより、監視される区域及び／又は副区域に出入りする人の信頼性のある検出が保証される。
【００１５】
本発明の一実施態様によれば、当該装置は：前記人が前記対応する副区域に向かって又は該副区域内へと移動することにより該対応する副区域の前記少なくとも１つの検出ラインを横切る際に、該人を該対応する副区域に侵入するものとして検出し；前記人が前記対応する副区域外へ又は該副区域から離れるように移動することにより該対応する副区域の前記少なくとも１つの検出ラインを横切る際に、該人を該対応する副区域を退出するものとして検出し；前記人が前記対応する副区域に向かって移動することにより該対応する副区域の前記少なくとも１つの検出ラインに向かって移動していると計算された場合に、該人を該対応する副区域に侵入することが予測されるとして検出し；前記人が前記対応する副区域の出口に向かって移動することにより該対応する副区域の前記少なくとも１つの検出ラインに向かって移動していると計算された場合に、該人を該対応する副区域を退出することが予測されるとして検出するように構成される。検出ラインの既に発生した横断及び／又は期待される／予測される横断を侵入又は退出イベントとして検出することにより、効率的で高速な且つ計算時間及び空間節約型の検出が可能となる。
【００１６】
本発明の一実施態様によれば、当該装置は、更に：前記人が前記区域に侵入しているか若しくは該区域を退出しているか；前記人が前記区域に侵入すると予測されるか若しくは該区域を退出すると予測されるか；前記人が１つの副区域から他の副区域へ移動しているか；及び／又は前記人が１つの副区域から他の副区域へ移動することが予測されるか；を決定するように構成される。このようにして、当該区域における侵入／退出及び移転イベントに区別されるので、人の存在の信頼性のある監視が可能となる。
【００１７】
本発明の一実施態様によれば、当該装置は、前記検出ステップを：前記区域と前記少なくとも２つの副区域との間の一群の方向関係；並びに前記区域及び／若しくは前記少なくとも２つの副区域に対する一群の侵入及び／又は退出条件；のうちの少なくとも１つを使用することにより実行するよう構成される。このようにして、検出される侵入及び／又は退出イベントの信頼性及び正しさがサポートされる。
【００１８】
本発明の一実施態様によれば、前記一群の方向関係のうちの少なくとも１つの方向関係は：前記区域における対応する副区域の位置；及び前記区域における対応する副区域につながる少なくとも１つの経路；のうちの少なくとも１つを指定する。本発明の一実施態様によれば、前記侵入及び／又は退出条件のうちの少なくとも１つは、前記領域の及び／若しくは前記対応する副区域の少なくとも１つの侵入並びに／又は少なくとも１つの退出を指定する。上記少なくとも１つの経路は、当該区域の侵入から対応する副区域への経路、又は他の副区域から対応する副区域への経路とすることができる。更に、上記少なくとも１つの経路は、対応する副区域の少なくとも１つの検出ラインを横切ることができ／横切らなければならない。更に、対応する副区域に侵入し及び／又は該副区域から退出するために、該対応する副区域の少なくとも１つの検出ラインを、該検出ラインの１つの特定の側から他の特定の側へ、及び／又は少なくとも１つの特定の方向に横断することができ／横断しなければならないということを条件として指定することができる。
【００１９】
本発明の一実施態様によれば、当該装置は前記検出ステップを前記人の移動軌跡を計算することにより実行するよう構成される。このようにして、正しく、効率的で安価な検出が、監視される人のプライバシを侵害することなく可能になる。
【００２０】
本発明の一実施態様によれば、当該装置は前記検出ステップを、１つの検出ラインの横断と、対応する副区域に侵入するための他の検出ラインの更なる横断との間の時間間隔を測定すると共に、前記人が向かって移動している目標副区域を計算するために該測定された時間間隔を使用することにより実行するよう構成される。このようにして、検出結果の信頼性及び正しさが、効率的な方法で保証される。
【００２１】
本発明の一実施態様によれば、当該装置は該装置の観察区域内の人の存在を監視するように構成される。上記観察区域は、前記区域に含まれるか、又は該区域と重なり合うことができる。該観察区域は、当該装置が感知又は認識することができる領域に対応する。このようにして、前記監視及び検出ステップは、全区域における観察に対して大規模な計算を必要とせず、効率的な態様で実行することができる。
【００２２】
本発明の一実施態様によれば、前記少なくとも１つの検出ラインは前記観察区域の境界に対して定められ；前記一群の方向関係は前記観察区域に対して指定され；前記少なくとも１つの経路は前記観察区域に含まれ；前記一群の方向関係は前記観察区域において前記対応する副区域の位置への方向を指定する少なくとも１つの方向関係を有し；前記一群の侵入及び／若しくは退出条件は前記観察区域に対して指定され；並びに／又は前記移動軌跡は前記観察区域において計算される。このようにして、前記検出ステップは上記観察区域のみに集中する。複数の追加の情報を上記観察区域に関係づけ、該観察区域において検出する結果、効率的で、同時に信頼性のある検出がなされる。
【００２３】
本発明の一実施態様によれば、前記観察区域は格子（マス目）として実施される。該格子の各区画は多角形の形状を有することができる。このようにして、上記観察区域の簡単で、同時に効果的であり、且つ、柔軟性のある実施化がなされる。
【００２４】
本発明の一実施態様によれば、当該装置は、前記観察区域の格子を、該格子で現在使用されているセグメントよりも小さなセグメントに該格子を分割する、及び／若しくは該格子で現在使用されているセグメントよりも大きなセグメントに該格子を分割することにより再計算する；前記検出ラインを少なくとも２つの新たな検出ラインに分割し、該少なくとも２つの新たな検出ラインを検出目的で使用する；並びに／又は少なくとも２つの検出ラインを１つの検出ラインへと結合し、該１つの検出ラインを検出目的で使用する；ように構成される。これにより、侵入及び／又は退出イベントの検出の柔軟で信頼性のある実施が可能となる。特に、粗い及び細かい検出を実行することができ、その場合において、粗及び精細検出モードの間で切り換えることは容易である。
【００２５】
本発明の一実施態様によれば、前記少なくとも２つの副区域における各副区域は多角形の形状を有する。
【００２６】
本発明の一実施態様によれば、前記少なくとも２つの副区域における２つは隣接する副区域であり、及び／又は前記少なくとも２つの副区域は相互接続された副区域である。
【００２７】
本発明の一実施態様によれば、当該装置は前記検出ステップを実行するように構成された方向移動センサ（directional movement sensor）を有し、該方向移動センサは超低分解能撮像センサとすることができ、該超低分解能撮像センサは赤外線センサ及び／又はカメラ型センサとすることができる。このようにして、既存の部品の効果的な組み込みが可能となる。このように、これまでに検出されたことのない、誤った又は不完全な動作の危険性を帯びる新たな部品を導入することは必須でないので、本発明の安定した実施化が可能となる。
【００２８】
本発明の他の態様においては、区域内の人の存在を監視する方法が提供され、該方法において、前記区域は少なくとも２つの副区域に分割され、これら少なくとも２つの副区域の各々に対して、対応する副区域の境界に関して少なくとも１つの検出ラインが定められ、該検出ラインは対応する副区域の侵入及び／又は退出を印し、当該方法は、移動する人が対応する副区域に侵入し若しくは該副区域を退出しているかを該対応する副区域の前記少なくとも１つの検出ラインを使用することにより検出する、及び／又は前記移動する人が前記対応する副区域に侵入し若しくは該副区域を退出すると予測されるかを該対応する副区域の前記少なくとも１つの検出ラインを使用することにより検出するステップを有する。
【００２９】
本発明の他の態様においては、区域内の人の存在を監視するように構成された装置を有するシステムが提供され、該装置は先に概要を説明し且つ後に詳細に説明する監視装置に対応する。
【００３０】
本発明の一実施態様によれば、当該システムは、
前記区域内の人の数、及び／若しくは前記少なくとも２つの副区域における少なくとも１つの副区域内の人の数を計数するステップと；前記区域の及び／若しくは前記少なくとも２つの副区域における少なくとも１つの副区域の利用（占有）状態を計算するステップと；或る期間にわたる前記区域の及び／若しくは前記少なくとも２つの副区域における少なくとも１つの副区域の利用度（占有度）の変化を監視するステップと；前記区域内の人の数及び／若しくは前記少なくとも２つの副区域における少なくとも１つの副区域内の人の数、並びに前記区域の及び／若しくは前記少なくとも２つの副区域における少なくとも１つの副区域の利用状態のうちの少なくとも１つを、現在の検出結果を使用することにより訂正するステップと；のうちの少なくとも１つを実行することにより前記区域内の及び／又は前記副区域内の人の存在に関する情報を計算し、並びに／又は
前記区域内の人の予測される数及び／若しくは前記少なくとも２つの副区域における少なくとも１つの副区域内の人の予測される数を計算するステップと；前記区域の及び／若しくは前記少なくとも２つの副区域における少なくとも１つの副区域の予測される利用状態を計算するステップと；前記区域内の人の予測される数及び／若しくは前記少なくとも２つの副区域における少なくとも１つの副区域内の人の予測される数、並びに前記区域の及び／若しくは前記少なくとも２つの副区域における少なくとも１つの副区域の予測される利用状態のうちの少なくとも１つを、現在の検出結果を使用することにより訂正するステップと；のうちの少なくとも１つを実行することにより前記区域内の及び／又は前記副区域内の人の予測される存在に関する情報を計算する、
ように構成される。
【００３１】
本発明の一実施態様によれば、当該システムは、前記区域内の及び／又は前記副区域内の人の存在に関する前記計算された情報を制御装置に伝送するように構成され、該制御装置は、前記区域内に設置された少なくとも１つの被制御装置を、該被制御装置の動作を前記区域内の及び／若しくは前記少なくとも２つの副区域内の人の存在に関して、並びに／又は前記区域内の及び／若しくは前記少なくとも２つの副区域内の人の計算された予測される存在に関して調整することにより制御するように構成される。
【００３２】
本発明の使用により、前述した既知のシステムの欠点を克服することができる。更に、本発明は区域内の人の存在の、効率的で、計算時間及び空間節約型の、且つ、安価な検出を可能にする。本発明によれば、検出結果は高い信頼性及び精度を有する。更に、本発明による検出は、監視される区域及び／又は副区域に出入りする人のプライバシを侵害することがない。更に、検出目的で、本発明は既存の部品の使用を可能にし、必ずしも新たな部品を使用することを要さない。後者の動作は十分に試験されておらず、従って、誤った又は不完全なものであり得る。更に、本発明により柔軟性のある検出が可能となる。例えば、本発明は、粗い検出と細かい検出との間の切り換えを可能にするので、検出処理を実行する間において幾つかの精度レベルの間での容易な切り換えを可能にする。
【図面の簡単な説明】
【００３３】
【図１】図１は、本発明の一実施態様による、区域内の人の存在を監視することに関して実行される処理を示す。
【図２】図２は、本発明の一実施態様による、区域内の人の存在を監視するために必要とされる情報の処理を示す。
【図３】図３は、本発明の一実施態様による、区域内の人の存在を監視するステップを用いた装置を示す。
【図４】図４は、本発明の一実施態様による、区域内の人の存在を監視するように構成されたシステムを示す。
【図５ａ】図５ａは、本発明の一実施態様による区域の副区域への分割を示す。
【図５ｂ】図５ｂは、本発明の一実施態様による区域の副区域への分割を示す。
【図６ａ】図６ａは、本発明の実施態様による、進入及び／又は退出イベントの検出を示す。
【図６ｂ】図６ｂは、本発明の実施態様による、進入及び／又は退出イベントの検出を示す。
【図７ａ】図７ａは、本発明の一実施態様による、進入及び／又は退出イベントの検出を示す。
【図７ｂ】図７ｂは、本発明の一実施態様による、進入及び／又は退出イベントの検出を示す。
【図８ａ】図８ａは、図７ａ及び７ｂの観察区域を一層詳細に示す。
【図８ｂ】図８ｂは、本発明の一実施態様による観察区域を図７ａ及び７ｂの例を参照して示す。
【図８ｃ】図８ｃは、図７ａ及び７ｂの観察区域における例示的な検出を示す。
【図９】図９は、本発明の一実施態様による区域内の人の存在の監視を示す。
【図１０】図１０は、本発明の一実施態様による区域内の人の存在の監視を示す。
【図１１】図１１は、本発明の一実施態様による検出のために使用することができる、識別された人を伴うＩＲ熱画像を示す。
【発明を実施するための形態】
【００３４】
図１は、本発明の一実施態様による区域内の人の存在を監視することに関して実行される処理を示す。本実施態様によれば、一方では、当該監視を実行するために必要とされる情報１が処理され（例えば、導出され又は計算され）（ステップＳ１０）、監視の目的で供給される。情報１の処理は、人の存在を監視する装置により又は該装置を有する監視システムにより実行することができ、後者の場合、人の存在を監視する上記装置が情報１を上記監視システムから入力する。更に、情報１の一部が人の存在を監視する装置により処理されると共に、該情報１の他の部分が情報処理装置により処理され、人の存在を監視する装置に供給されることも可能である。人の存在を監視する装置は、例えば、上記処理を実行するように構成された少なくとも１つのプロセッサ又は処理ユニットを有することができる。
【００３５】
図２は、本発明の一実施態様による、監視を実行するために必要とされる情報１の処理ステップＳ１０を示す。該情報処理１０は、人の存在の監視が実行される区域を、少なくとも２つの副区域に分割又は分離するステップＳ１０１を有する。例えば、オフィスの部屋は、上記少なくとも２つの副区域としての仕事区域に分割することができる（Ｓ１０１）。仕事区域は、例えば机の配置を介して画定することができる。この例示的な場合において、人の存在の監視は机区域の占有を監視することを指し、このことは、対応する机区域の環境（例えば、照明、温度等）の一層固有且つ効果的な制御を可能にする。このように、ステップＳ１０においては、少なくとも２つの分割された副区域に関する情報が供給される。
【００３６】
更に、情報処理ステップＳ１０は、区域（例えば、該区域の入口及び／又は出口）と分割された少なくとも２つの副区域（例えば、該少なくとも２つの副区域の少なくとも１つの入口及び／又は出口）との間の方向関係を設定する（例えば、識別し及び／又は定義する）ステップＳ１０２を有することができる。該方向関係は以下のものの少なくとも１つを指定することができる：
−  当該区域における副区域の位置；
−  当該区域の入口及び／若しくは出口と当該区域の副区域との間の少なくとも１つの関係であって、該関係は当該区域の当該入口及び／若しくは出口から当該副区域に向かう方向、当該副区域から当該区域の当該入口及び／若しくは出口に向かう方向、当該区域の当該入口及び／若しくは出口から当該副区域の入口及び／若しくは出口に向かう方向、並びに／又は当該副区域の当該入力及び／若しくは出口から当該区域の当該入口及び／若しくは出口に向かう方向を指定することができる；
−  当該区域の当該入口及び／若しくは出口から副区域への（例えば、該副区域の入口及び／若しくは出口への）少なくとも１つの経路；
−  副区域から（例えば、該副区域の入口及び／若しくは出口から）当該区域の当該入口及び／若しくは出口への少なくとも１つの経路；並びに／又は
−  或る副区域から（例えば、該或る副区域の入口及び／若しくは出口から）他の副区域への（例えば該他の副区域の入口及び／若しくは出口への）少なくとも１つの経路。
【００３７】
上記経路及び／又は方向は、対応する副区域に対して定められた少なくとも１つの検出ラインが横断される／され得るように付与することができる。
【００３８】
区域内の人の存在を監視する当該装置は、当該区域の一部のみを観察するように構成することができる。即ち、該装置は当該区域内に観察区域を有することができる。該観察区域は、全区域をカバーすることができ、及び／又は当該区域の一部をカバーすることができる。一実施態様によれば、当該装置は、例えば、監視される区域の入口及び／又は出口に配置することができる。この場合、該装置は、使用することによって当該区域に対する侵入及び／若しくは退出、並びに／又は当該副区域に向かう及び／若しくは該副区域からの移動を監視することができるような観察区域を有することができる。
【００３９】
方向関係の設定ステップＳ１０２は、当該観察区域に関して実行することができる。このように、副区域の位置は、当該観察区域から該副区域への方向及び／又は該副区域から当該観察区域への方向を記述することにより供給することができる。同様にして、当該区域の入口及び／又は出口と当該区域の副区域との間の少なくとも１つの関係は、当該観察区域に関して設定することができる。更に、例示的に上述した経路は、当該観察区域に関して設定することができ、例えば、経路及び／又は該経路の一部は当該観察区域に含まれ得る。
【００４０】
更に、情報処理ステップＳ１０は、当該区域に関する及び／若しくは当該副区域に関する進入並びに／又は退出条件、即ち監視される区域及び／若しくは副区域への侵入並びに／又は監視される区域及び／若しくは副区域からの退出を特定する条件、を設定する（例えば、定義する、指定する）ステップＳ１０３を有することができる。上記侵入及び／又は退出条件は：当該区域及び／若しくは当該副区域への侵入並びに／又は当該区域及び／若しくは当該副区域からの退出；並びに／又は当該区域及び／若しくは当該副区域に侵入する並びに／又は当該区域及び／若しくは当該副区域から退出する方向、のうちの少なくとも１つを指定することができる。当該区域及び／若しくは当該副区域に侵入する並びに／又は当該区域及び／若しくは当該副区域から退出することに関しては、対応する区域及び／又は副区域の少なくとも１つの対応する検出ラインが横断された場合に、侵入又は退出イベントが発生すると定義することができる。更に、横断することに関しては、対応する区域若しくは副区域の少なくとも１つの対応する検出ラインが該ラインの一方の側から該ラインの他方の側に横断された場合に、及び／又は対応する区域若しくは副区域の少なくとも１つの対応する検出ラインが少なくとも１つの指定された方向に横断された場合に、侵入又は退出イベントが発生すると指定することができる。
【００４１】
更に、侵入及び／又は退出条件は、人の存在を監視する装置の観察区域に関して設定することができる。例えば、侵入及び／又は退出は観察区域に対して指定することができる。更に、少なくとも１つの対応する検出ラインの横断は、当該装置の観察区域において及び／又は該観察区域に関して定義することができる。
【００４２】
このように、監視を実行するために必要とされる情報１は：少なくとも２つの分割された副区域に関する情報；検出ラインに関する情報；方向関係；並びに／又は侵入及び／若しくは退出条件のうちの少なくとも１つを有することができる。人の存在を監視する当該装置は、情報１を記憶するように構成された少なくとも１つのメモリ又はデータ／情報記憶ユニットを有することができる。情報１の処理ステップＳ１０が人の存在を監視する当該装置により部分的に又は全体的に実行される場合、該装置の少なくとも１つのプロセッサ又は処理ユニットを、該処理ステップＳ１０を実行するように構成することができる。
【００４３】
図１（該図の反対側）に戻ると、当該監視を実行するために必要とされる情報１が利用可能である場合、退出及び／又は侵入イベントの検出ステップＳ１１が、当該監視を実行するために必要とされる該情報１を使用することにより実行される。検出ステップＳ１１は、人の存在を監視するための当該装置により実行される。この目的のために、該装置の少なくとも１つのプロセッサ又は処理ユニットを該検出ステップＳ１１を実行するように構成することができる。前述したように、当該監視を実行するために必要とされる情報１は、例えば少なくとも監視を実行する間は、当該装置により維持する（例えば、記憶する）ことができる。検出ステップＳ１１は、一群の検出ラインを用いて実行される。監視されるべき副区域の各々に対して、少なくとも１つの検出ラインが定義される。検出ラインは、対応する副区域の境界に関して定義することができる。検出ラインは、対応する副区域の入口及び／又は出口に関して定義することができる。更に、検出ラインは、有効範囲区域の境界に関して、例えば有効範囲区域内に又は有効範囲区域に定義することができる。移動する人が検出ラインを副区域に向かって又は副区域内へと横切る場合、該副区域に対する侵入イベントが検出される（Ｓ１１）。移動する人が、副区域に向かっての又は該副区域内への検出ラインの横断が予測され得る（例えば、該人の移動軌跡を計算、追跡及び／又は分析することにより）ように移動する場合、該副区域の（予測される）侵入イベントが検出される（Ｓ１１）。移動する人が当該副区域を出る又は該副区域から遠ざかることにより検出ラインを横断する場合、該副区域に対して退出イベントが検出される（Ｓ１１）。移動する人が、当該副区域を出る又は該副区域から遠ざかることによる検出ラインの横断が予測され得る（例えば、該人の移動軌跡を計算、追跡及び／又は分析することにより）ように移動する場合、該副区域に関して（予測される）退出イベントが検出される（Ｓ１１）。検出ステップＳ１１は、人がどちらの方向に移動しているかを決定するために方向関係を使用することができる。前記位置情報と、当該区域の入口及び／若しくは出口と副区域との間の前記少なくとも１つの関係、並びに／又は前述した経路とから、何の副区域が当該移動する人の目標区域を示すか、及び／又は移動する人が副区域に侵入しそう、侵入した、退出しそう若しくは退出したかを導き出すことができる（例えば、検出ラインを考慮に入れると共に、当該移動する人が検出ラインを横断しそう又は横断したかを計算することにより）。更に、検出ステップＳ１１は、侵入及び／又は退出条件を、移動する人が副区域に侵入した若しくは侵入しそうであるか、及び／又は該移動する人が副区域を退出した若しくは退出しそうであるかを決定するために使用することができる。
【００４４】
少なくとも１つの退出及び／又は侵入イベントを検出した（Ｓ１１）後、利用（占有）関連情報が計算される（Ｓ１２）。計算ステップＳ１２のために、前記少なくとも１つの検出された（Ｓ１１）退出及び／侵入イベントが使用される。当該区域内の人の存在を監視する装置は、前記少なくとも１つの（予測される及び／又は既に実行された）退出及び／又は侵入イベント（例えば、当該観察区域に関する）に関する情報を供給する。更に、該装置は、当該観察区域の境界に関する、及び／又は横断された又は横断されると予測される対応する検出ラインに関する情報（例えば、当該イベントが関連する方向）を供給することができる。利用関連情報の計算ステップＳ１２は、当該区域内及び／又は副区域の少なくとも１つ内の人の数を計数するステップ；当該区域の及び／若しくは副区域の少なくとも１つの利用状態を計算するステップであって、該利用状態が該区域若しくは副区域が利用されているか否か、並びに／又はどの程度該区域若しくは副区域が利用されているか（例えば、パーセンテージとして表される）を示すことができるステップ；期間にわたる当該区域の及び／若しくは副区域の少なくとも１つの利用度の変動（dynamics）又は変化を監視するステップであって、上記変動若しくは変化を、当該区域若しくは副区域が何の程度頻繁に及び／若しくはどの程度長く利用された又は利用されなかったかを示すことにより、並びに／又は当該区域又は副区域がどの程度利用されたかを示す（例えば、パーセンテージとして、利用の下限及び上限を示す範囲明細として、及び／若しくは平均パーセンテージとして）ことにより、出力することができるステップ、のうちの少なくとも１つを有することができる。侵入イベント及び／又は退出イベントは実行され又は発生すると予測されるイベントも含み得るので、該利用関係情報は誤ったイベント予測の場合は誤りであり得る。従って、利用関連情報の計算ステップS１２は、上記情報を補正するステップを有することができる。例えば、誰かが、計数（カウント）が零であった副区域を離れるとする。この場合、隣接する副区域のカウントが１だけ減算される（これが、より一貫性のある全体のシステム状態、即ち当該監視区域の利用度／計数情報につながるなら）。利用関連情報の計算ステップＳ１２は、例えば、人の存在を監視するように構成された装置により、又は該装置を有する監視システムにより実行することができる。利用関連情報の計算ステップＳ１２が人の存在を監視する装置により実行される場合、該装置の少なくとも１つのプロセッサ又は処理ユニットを、該計算ステップＳ１２を実行するように構成することができる。該利用の計算ステップＳ１２は、（予測される及び／若しくは実際の）利用の並びに／又は（予測される及び／若しくは実際の）利用の継続性の識別を可能にする。次いで、該計算された（Ｓ１２）利用関連情報は、当該区域内及び／又は副区域の少なくとも１つ内に設置されると共に利用に関して制御される装置（被制御装置）の動作を制御する（Ｓ１３）ために使用することができる。この目的のために、上記の計算された（Ｓ１２）情報は、上記被制御装置を制御する（Ｓ１３）ように構成されたコントローラ又は制御装置に供給することができる。上記の被制御装置は、例えば、照明装置又はシステム、エアコン装置又はシステム、加熱装置又はシステム等であり得る。例えば、前記利用関連情報が、予測される侵入及び／又は退出イベントに鑑みて計算される（Ｓ１２）場合、上記の被制御装置は該イベントを期待して制御される。例えば、照明及び／又は他の対応する装置を、対応する副区域に人が入る前に、オンし又は動作させることができる。それ以外として、例えば、利用関連情報が実際に生じた侵入及び／又は退出イベントに鑑みて計算された（Ｓ１２）場合、上記被制御装置は該イベントの結果として制御される。この場合、例えば、照明及び／又は他の対応する装置を、対応する副区域に人が入った（直）後に、オン若しくはオフする、即ち動作させることができる。
【００４５】
図３は、本発明の一実施態様による区域内の人の存在を監視するステップを用いた構成例を示す。該構成例は、区域内の人の存在を監視するように構成されたシステム３０を有する。該システム３０は、この区域内の人の存在を監視するように構成された装置３０１を有する。利用関連情報を計算した後、システム３０は該情報を、前述した様に構成されたコントローラ３１に供給する。次いで、該コントローラ３１は少なくとも１つの被制御装置３２_1〜３２_k（ｋは整数であり、１≦ｋである）を、供給された利用関連情報に基づいて制御する。
【００４６】
図４は、本発明の一実施態様による区域内の人の存在を監視するように構成されたシステム３０を示す。システム３０は、該区域内の人の存在を監視する装置３０１を有する。更に、該システムは当該監視を実行するために必要とされる情報１を処理（Ｓ１０）及び供給するように構成された情報処理装置４０を有している。本実施態様によれば、情報処理装置４０は上記の処理された情報１を当該区域内の人の存在を監視する装置３０１に供給し、該装置３０１は少なくとも１つの侵入及び／又は退出イベントを検出する（Ｓ１１）。本実施態様によれば、区域内の人の存在を監視する装置３０１は、検出された（Ｓ１１）少なくとも１つの侵入及び／又は退出イベントを、該検出された（Ｓ１１）少なくとも１つの侵入及び／又は退出イベントを使用することにより利用関連情報を計算する（Ｓ１２）ように構成された利用関連情報計算装置４１に供給することができる。該利用関連情報計算装置４１は、計算された（Ｓ１３）情報をコントローラ３１に供給することができる。
【００４７】
図５ａ及び図５ｂは、本発明の一実施態様による区域を副区域５１，５２，５３に分割するステップＳ１０１を示す。本実施態様によれば、オフィスルームが、監視されるべき区域として設けられる。該オフィスは、例えば、机により示された３つの仕事場を有している。監視は、該３つの仕事場、即ち仕事区域に対して実行される。仕事区域におけるユーザの識別は、例えば電灯及び／又はブラインド制御器を調整するために重要であり得る。区域内及び／又は副区域内の人の合計数は、例えば、部屋レベルの電灯制御、温度制御及び／又は換気若しくは空気調整のために使用することができる。図５ｂから分かるように、当該オフィス区域は３つの副区域５１，５２，５３に分割され（Ｓ１０１）、これら副区域は仕事区域（例えば、オフィス机）に対応する。ここで、区域として分割する（Ｓ１０１）幾つかの方法が可能であることが指摘されるべきである。従って、例えば、特定の用途（廊下区域等）に対応する副区域も分割するステップＳ１０１により生成するができる。本実施態様によれば、オフィス内の人の存在を監視する装置３０１は、当該オフィスの入口／出口区域に配置される。更に、装置３０１は符号５４により示された観察区域を有する。本実施態様によれば、観察区域５４は、侵入及び／又は退出イベントの一層良好な監視並びに検出のために、セグメントＤ１〜Ｄ４、Ｃ１〜Ｃ４、Ｂ１〜Ｂ４及びＡ１〜Ａ４に分割される。本実施態様によれば、これらセグメントは長方形の形状を有している。この場合、本発明によれば他の形状のセグメントも使用することができる。例えば、一般的に、セグメントは多角形とすることができる。この点に関して、観察区域５４が格子の形状をとることは必須ではないことに注意すべきである。観察区域５４がセグメントに分割されないことも可能である。
【００４８】
図６ａ及び図６ｂは、本発明の上記実施態様による侵入及び／又は退出イベントの検出ステップＳ１１を示す。図６ａ及び図６ｂの実施態様は、図５ａ及び図５ｂの実施態様の続きである。先ず、検出ライン６０，６１，６２が副区域５１，５２，５３に関連付けられる。本実施態様によれば、検出ライン６０，６１，６２は、当該オフィス内の人の存在を監視する装置３０１の観察区域５４の境界に形成される。これら検出ライン６０，６１，６２は副区域５１，５２，５３の侵入及び／又は退出を印す。検出ライン６０は当該オフィスの入口及び／又は出口に属する。本発明によれば、検出ラインは当該区域の侵入及び／退出を印すこともできる。検出ライン６１は副区域５１及び５２に属する。検出ライン６２は副区域５３に属する。副区域５２に対する侵入及び／又は退出イベントの間の区別は、例えば、侵入及び／若しくは退出イベントの時刻、人の移動方向、方向関係、並びに／又は侵入及び／若しくは退出条件を考慮に入れることにより実施することができる。更に、副区域５１及び５２に対する侵入及び／又は退出イベントの間の区別は、一層細かく分割された検出ラインを導入することによっても実行することができる。当該区域における人の存在を監視する装置３０１が上記の区別するステップを実行することができない場合、副区域５１及び５２は１つの副区域と見なすことができる。例えば、これら２つの副区域５１，５２は１つの副区域へと結合することができる。
【００４９】
更に、本発明によれば、一般的に、人の存在を監視する当該装置３０１は、監視される又は観察される区域５４内での追跡能力を有することができる。即ち、該装置は観察区域５４内において移動する人を追跡するよう構成することができる。図６ｂにおいて、監視装置３０１により観察区域５４内で移動する人を追跡することにより決定される軌跡ｐ１，ｐ２，ｐ３は、下記の副区域又は仕事区域状態情報を生じる。即ち、１人が副区域５１内に位置する（軌跡ｐ２参照）；１人が副区域５２内に位置する（軌跡ｐ３参照）；及び１人が副区域５３内に位置する（軌跡ｐ１参照）である。前記検出ステップＳ１１は、人（当該観察区域内を移動する）の移動軌跡を計算するステップを有する。次いで、該人が少なくとも１つの検出ライン６０，６１，６２を横切ったかが決定される。検出ライン６０，６１，６２の横断に関する情報の使用により、当該区域における当該人の現位置が検出される（Ｓ１１）。該検出ステップＳ１１のために、予め決められた方向関係１、並びに／又は侵入及び／若しくは退出条件１を利用することもできる。
【００５０】
本実施態様において、副区域５３の利用（占有）カウントは、次のイベント順序、即ち検出ライン６０を介しての当該観察区域への侵入、及び検出ライン６２を介しての該観察区域からの退出（副区域５３への侵入）（軌跡ｐ１参照）を検出した（Ｓ１１）後、増加される（Ｓ１２）。副区域５１に関しても、同様のこと：即ち、検出ライン６０を介しての当該観察区域への侵入、及び検出ライン６１を介しての該観察区域からの退出（副区域５１への侵入）（軌跡ｐ２参照）が成り立つ。軌跡ｐ３に関しても、軌跡ｐ２に関するのと同様のイベント順序が成立する。しかしながら、軌跡ｐ３の場合、検出ライン６０を介しての侵入イベントと検出ライン６１を介しての退出イベントとの間の時間間隔は、軌跡ｐ２に関するものより明確に大きい。これに関しては、第１の軌跡ｐ３に関する２つの検出ライン６０，６１を横切る間の、即ち２つの侵入及び／又は退出の間の時間間隔が、第２の軌跡ｐ２に関するよりも大幅に大きい（例えば、特定の係数及び／又は特定の時間閾値に関して大きい）場合、当該移動する人は、副区域５１よりも大きな距離にある副区域５２に第１軌跡ｐ３を介して侵入したと仮定される。このことは、例えば、ライン６１等の検出ラインが、２以上の副区域、ここでは副区域５１及び５２に関連付けられる場合に成り立つ。
【００５１】
このように、本実施態様によれば、特定の検出ライン６０，６１，６２における侵入イベント（例えば、特定の検出ライン６０，６１，６２の横断）と他の検出ライン６０，６１，６２における退出イベント（例えば、他の検出ライン６０，６１，６２の横断）との間の時間間隔を測定し、方向情報を改良する、即ち侵入又は退出された副区域の決定を改善するために使用することができる。この方向情報の改良は、本発明の実施態様の何れにおいても実施することができる。
【００５２】
本実施態様と組み合わせることもできる（例えば、検出ステップＳ１１の結果を改善するために）一実施態様によれば、人が内部へと移動した副区域は、検出ライン６０，６１，６２の分解能を、図６ｂを参照した場合、区域５４の左下角部における退出を副区域５３への（可能性のある）侵入として検出することができるように増加させることにより決定する（Ｓ１１）こともできる。検出ライン６０，６１，６２の分解能は、これら検出ライン６０，６１，６２のうちの少なくとも１つに関して増加させることができる。このようにして、計算する空間及び時間を節約することができる。同様にして、例えば粗い検出Ｓ１１で十分な場合（例えば、増加された分解能による検出Ｓ１１の後に）、検出ライン６０，６１，６２の分解能を減少させることもできる。少なくとも１つの検出ライン６０，６１，６２の分解能を増加させるステップは、これら検出ライン６０，６１，６２をセグメントに、即ち少なくとも２つの（より小さい）検出ラインに分割するステップを有する。これにより、より小さな検出ライン（の各々）に対応する条件が指定されるので、侵入及び／又は退出条件を一層高い分解能で導入することができる。このようにして、対応する侵入及び／又は退出区域に関する一層具体的で詳細な、且つ、正確な観察が得られる。少なくとも１つの検出ライン６０，６１，６２の分解能を減少させるステップは、上記増加の逆を指し、検出ライン６０，６１，６２のうちの少なくとも２つを１つの（より大きな）検出ライン６０，６１，６２に結合するステップを有する。これにより、侵入及び／又は退出条件を、より低い空間分解能で導入することができる。更に、例えば一層少ない計算空間及び時間しか要さない、一層効率的な検出ステップＳ１１を実行することができる。上述した少なくとも１つの検出ライン６０，６１，６２の分解能の増加及び／又は減少は、本発明の実施態様の何れにも適用することができる。
【００５３】
更に、検出ステップＳ１１を実行する場合、より高い空間分解能を導入することもできる。これは、観察区域５４の格子（マス目）又はセグメントＤ１〜Ｄ４、Ｃ１〜Ｃ４、Ｂ１〜Ｂ４及びＡ１〜Ａ４への一層細かい分割により実行することができる。この場合、新たな格子又はセグメントは、該分割以前に使用された現格子又はセグメントＤ１〜Ｄ４、Ｃ１〜Ｃ４、Ｂ１〜Ｂ４及びＡ１〜Ａ４より一層小さなものである。次いで、該新たな格子又はセグメントが上記検出ステップＳ１１に対して使用される。該新たな格子又はセグメントは、人の一層正確な追跡を可能にする。更に、これらは、方向関係についての、並びに／又は侵入及び／若しくは退出条件に関しての一層詳細な情報を有し得る。同様に、例えば粗い粒度レベルで検出ステップＳ１１を実行すれば十分な場合、より低い空間分解能を導入することもできる。より低い空間分解能は、観察区域５４の格子又はセグメントＤ１〜Ｄ４、Ｃ１〜Ｃ４、Ｂ１〜Ｂ４及びＡ１〜Ａ４への一層粗い分割により導入することができる。この場合、新たな格子又はセグメントは、該分割より前に使用された現格子又はセグメントＤ１〜Ｄ４、Ｃ１〜Ｃ４、Ｂ１〜Ｂ４及びＡ１〜Ａ４より大きい。次いで、該新たな格子又はセグメントが上記検出ステップＳ１１に対して使用される。該新たな一層粗い格子又はセグメントは、より概略的な、余り空間及び計算時間を消費しない人の追跡を可能にする。更に、該新たな格子又はセグメントは、方向関係についての、並びに／又は侵入及び／若しくは退出条件に関しての一層概略的な情報を有し得る。上述した空間分解能の増加及び／又は減少は、本発明の実施態様の何れにも適用することができる。当該区域における人の存在を監視する装置３０１として撮像センサが使用される場合において、該撮像センサ３０１の空間分解能が当該観察区域５４内の物体追跡を可能にするほど十分に高いなら、方向検出のための一層高い空間分解能を達成することができ、これは一層細かい粒度の副区域５１，５２，５３に対するマッピングに変換することができる。一層低い空間分解能の場合は、反対のことが成り立つ。即ち、方向検出のために一層低い空間分解能しか達成されず、これは、それに応じて一層粗い粒度の副区域５１，５２，５３へのマッピングに変換され得る。
【００５４】
図７ａ及び図７ｂは、本発明の一実施態様による侵入及び／又は退出イベントの検出ステップＳ１１を示す。本実施態様による検出ステップＳ１１は、上述した実施態様に関して説明した検出ステップＳ１１と同様の方法で実行される。図７ａ及び７ｂは、本発明が全体の建物に入る又は該建物を去る人の計数を可能にすることを示している。更に、特定の廊下区域内の存在も区別することができる（例えば、特定の廊下区域の侵入及び／又は退去）。本実施態様によれば、建物のフロアが、監視されるべき区域を表す。該フロアは３つの副区域７１、７２及び７３に分割され、その場合において、副区域７１及び７２はオフィス区域７１’及び７２’を有し、副区域７３は入口／出口区域を表す。更に、このフロアには収納室７４設けられているが、該収納室は、本実施態様によれば、観察区域から入出され得ないので監視されず、従って副区域を表すものではない。監視装置３０１の有効範囲区域は、格子Ｄ１〜Ｄ４、Ｃ１〜Ｃ４、Ｂ１〜Ｂ４及びＡ１〜Ａ４により表されている。検出ライン７５が副区域７１に関連付けられ、検出ライン７６が副区域７３に関連付けられ、検出ライン７７が副区域７２に関連付けられている。これら検出ライン７５，７６，７７により、軌跡ｔ１，ｔ２，ｔ３により例示的に示されるように移動する人を区別することができる。このことは、全体の利用度（占有度）及び建物の区画（例えば、フロア）当たりの人の数が、被制御装置３２_1，…，３２_kの動作を制御するステップＳ１３のための可能性のある制御系入力として計算される（Ｓ１３）ことを可能にする。更に、本実施態様によれば、副区域７１と副区域７２との間の人の入れ替わりも検出することができ（Ｓ１１）、区画毎に存在する人の総数（カウント）を決定する場合に使用することができる。
【００５５】
図８ａは、図７ａ及び図７ｂの観察区域を詳細に示す。監視装置は符号８により示されている。図８ａから分かると共に、ここで説明する各実施態様から導き出すことができるように、本発明は区域内の複数の人の追跡を可能にする。これら人は同時に追跡することができる。図８ａによれば、３人の人が軌跡ｔ１，ｔ２，ｔ３を介して検出される。観察区域は格子として実施化される。本実施態様によれば、１６個のマス目又はセグメントＤ１〜Ｄ４，Ｃ１〜Ｃ４，Ｂ１〜Ｂ４及びＡ１〜Ａ４が使用される。検出ステップＳ１１を実行する場合、例えば軌跡ｔ２の人がマス目又はセグメントＤ２を介して当該観察区域に入り、マス目又はセグメントＡ１を介して該観察区域を出たと判断することができる。この情報を、副区域７１，７２，７３に関連付けられた検出ライン７５，７６，７７と関連させて使用することにより、人の位置が検出される（Ｓ１１）。更に、前記方向関係、並びに／又は侵入及び／若しくは退出条件も用いることができる。これに関連して言うと、該方向関係、及び／又は侵入及び／又は退出条件はマス目（格子）又はセグメントＤ１〜Ｄ４，Ｃ１〜Ｃ４，Ｂ１〜Ｂ４及びＡ１〜Ａ４に関して指定することができる。格子又はセグメントＤ１〜Ｄ４，Ｃ１〜Ｃ４，Ｂ１〜Ｂ４及びＡ１〜Ａ４は副区域に対する複数の入口及び／又は出口への分割を可能にする。更に、本発明は観察区域内での信頼性のある経路追跡を可能にする。例えば、軌跡が交差したとしても（図８ａにおけるｔ１及びｔ２参照）、人の移動軌跡ｔ１，ｔ２，ｔ３を検出することができる。当該区域内の人を計数するステップＳ１２については、図７ｂ及び図８ａに関する場合、軌跡ｔ１は当該区域内の人の数を１だけ増加させ、軌跡ｔ２は当該人が当該区域内に留まるので計数に影響することがなく、軌跡ｔ３は当該区域内の人の数を１だけ減少させる。
【００５６】
図８ｂは、本発明の一実施態様による観察区域を、図７ａ及び図７ｂを例示として参照して示す。該観察区域は図８ａの観察区域と同様に配置されている。しかしながら、本実施態様によれば、観察区域はマス目を有していない。移動軌跡ｔ１，ｔ２，ｔ３は当該観察区域のセグメントを用いないで分析される。このようにして、本実施態様によれば、図８ａの検出よりも粗い検出（Ｓ１１）が実行される。
【００５７】
図８ｃは、図７ａ及び図７ｂの観察区域で実行される例示的な検出ステップＳ１１を示す。該検出ステップＳ１１は、検出ライン７５，７６，７７を横断せずに当該観察区域内で終了する軌跡ｔ１’，ｔ２’及びｔ３’を考察することにより考えられ得る、予測される侵入及び／又は退出イベントの検出ステップを有する。当該観察区域において軌跡ｔ１’の進展を分析する（即ち、軌跡若しくは経路追跡を実行する）場合、及び／又は当該観察区域において検出ライン７５，７６，７７に対する（特に、検出ライン７５に対する）人の動きを分析する場合、副区域７１への侵入イベントが予想され得ることを検出する（Ｓ１１）ことができる。当該観察区域において軌跡ｔ２’の進展を分析する（即ち、軌跡若しくは経路追跡を実行する）場合、及び／又は当該観察区域において検出ライン７５，７６，７７に対する（特に、検出ライン７７に対する）人の動きを分析する場合、副区域７２への侵入イベントが予想され得ることを検出する（Ｓ１１）ことができる。当該観察区域において軌跡ｔ３’の進展を分析する（即ち、軌跡又は経路追跡を実行する）場合、及び／又は当該観察区域において検出ライン７５，７６，７７に対する（特に、検出ライン７６に対する）人の動きを分析する場合、副区域７３への侵入イベントが予想され得ることを検出する（Ｓ１１）ことができる。軌跡ｔ１’，ｔ２’，ｔ３’を分析する（即ち、軌跡ｔ１’，ｔ２’，ｔ３’又は経路の追跡を実行する）処理は、先に例示として説明した監視を実行するために必要とされる情報１を使用することにより実行することができる。従って、検出ライン７５，７６，７７に対する人の動きの分析も、監視を実行するために必要とされる情報１を使用することにより実行することができる。一般的に、予測される侵入及び／又は退出イベントの検出ステップＳ１１は、次に何の方向に当該人が移動するであろうか、例えば何の検出ライン７５，７６，７７を該人が（最も高い確率で）横切るであろうかが検出される（Ｓ１１）という差はあるが、既になされた侵入及び／若しくは退出イベントの検出ステップＳ１１と同じように又は同様の態様で実行される。
【００５８】
ここで、本発明は実際になされた、及び／又は予測される侵入及び／又は退出イベントを検出する（Ｓ１１）ことを可能にすることが指摘されるべきである。
【００５９】
図９は、本発明の一実施態様による区域内の人の存在の監視方法を図示している。図９によれば、当該区域は点線で描かれたボックスにより示される幾つかの部屋を有している。区域内の人の存在を監視する装置９は、前述した装置３０１及び８と同様に構成される。本実施態様によれば、監視装置９は当該区域に入る及び／又は該区域を離れる人を、前述した観察区域と同様に構成及び／又は配置された観察区域９１を使用することにより検出する（Ｓ１１）。本発明の使用により、侵入及び／又は退出する人の信頼性のある検出（Ｓ１１）が保証される。この信頼性のある検出（Ｓ１１）は、利用（占有）情報（例えば、当該区域における人の総数）の信頼性のある計算（Ｓ１２）の基となると共に斯かる信頼性のある計算を可能にする。
【００６０】
図１０は、本発明の一実施態様による区域内の人の存在の監視方法を図示している。図１０によれば、当該区域は点線で描かれたボックスにより示される幾つかの部屋を有している。区域内の人の存在を監視する装置９は、前述した装置と同様に構成される。本実施態様によれば、監視装置９は、当該区域に入る及び／又は該区域を去る人ではなく、廊下内を移動する人を、前述した観察区域と同様に構成及び／又は配置された観察区域９１を使用することにより検出する（Ｓ１１）。廊下内での該人の動きは利用情報（例えば、全区域内の人の数）には影響を与えない。しかしながら、このケースは、廊下区画毎の人の数の区別が重要であるか（図７ａ及び７ｂを用いて前述した実施態様において示したように）を検出するために重要である。
【００６１】
図１１は、本発明の一実施態様による検出ステップ（Ｓ１１）のために使用することができる、識別された人によるＩＲ熱画像を示す。区域内の人の存在を監視するための装置３０１，８，９は、例えば、超低分解能撮像センサ（例えば、赤外線又はカメラに基づく）とすることができる。センサ３０１，８，９は、自身の観察区域５４，９１内での物体／人追跡機能を有することができる。図１１は、例示として、検出ステップＳ１１のためにセンサ３０１，８，９により使用されるＩＲ熱画像を示している。白い円で囲まれたピクセルは、当該区域５４，９１において検出、識別及び監視された人を示す。
【００６２】
上述した本発明は、照明並びにビル制御における照明、エネルギ及びビル利用監視（スマートエネルギ事業）、ビル利用の実際の知識を必要とするサービス機会又はビル運用の連続監視及び調査に関する分野等の複数の異なる応用分野を有する。
【００６３】
本発明は非永久的設備のために使用することができる。例えば、本発明は、区域又は部屋の利用パターン（例えば、人の数、在室プロファイルの変動（退出及び／又は侵入イベントの頻度及び期間））を決定するための監視アプリケーション（例えば、非永久的な利用特徴情報の収集）で実施することができる。
【００６４】
更に、本発明は永久的設備のために使用することもできる。例えば、本発明は、照明及び／又はＨＶＡＣ（暖房、換気及び空調）アプリケーション（例えば、区画レベル（副区域）で電灯を切り換え及び／又は調光するための）のためのリアルタイム制御、又は需要指導型制御で使用することができる。更に、本発明は、例えば、区域又は部屋の利用及び消費を決定するための（継続的な調整試験）設備管理（ＦＭ）のための長期データ収集及び監視アプリケーションで使用することができる。
【００６５】
上記から導き出すことができるように、本発明は、方向移動検出（例えば、区域内の人の存在を監視する装置として方向移動センサを使用することによる）を用いる、仕立てられた人位置特定概念及び区域分割のための方法を提供する。有効範囲区域、即ち当該監視装置又はセンサの観察区域は、監視されるべき区域より小さくすることができる。更に、有効範囲区域、即ち当該監視装置又はセンサの観察区域は、必ずしも利用者の居る副区域をカバーする必要はない。本方法は、副区域の利用状態を決定するために副区域に関する侵入及び退出イベントに関する情報を利用する。この情報は、副区域自体の直接的監視／調査なしで方向的移動の感知／検出から導出することができる。このように、利用者の副区域は、プライバシシェル（私的空間）として保たれる。この安価な感知方法は、適切な相関された精度レベル（副区域にマッピングする）での個人化された制御のための必須情報を提供することができる。検出ステップＳ１１及びセンサ３０１，８，９は、標準的技術（例えば、ＩＲ感知法）に基づくものとすることができる。この場合、新しい感知方式又は技術及び関連するリスクをやり繰りする必要が無い。
【００６６】
要約すると、区域内の人の存在を監視するために、当該区域は少なくとも２つの副区域に分割され、これら少なくとも２つの副区域の各々に対し、対応する副区域の境界に関して少なくとも１つの検出ラインが定められる。該検出ラインは、対応する副区域の侵入及び／又は退出を記録する。当該監視の範囲内において、対応する副区域の少なくとも１つの検出ラインを使用することにより、移動する人が対応する副区域に侵入するか若しくは該副区域を退出するかが検出され、並びに／又は対応する副区域の少なくとも１つの検出ラインを使用することにより、該移動する人が対応する副区域に侵入し及び／若しくは該区域を退出することが予測されるかが検出される。
【００６７】
尚、上述した実施態様は種々の方法で組み合わせることができることは明らかである。従って、例えば監視するために必要とされる情報の幾つかの組み合わせを、前記検出ステップのために使用することができる。更に、前記検出ステップは：当該観察区域を、現在使用されているものより多い又は少ない数のセグメントに分割する、若しくは分割されていない観察区域（即ち、セグメントのない）を使用するステップと；少なくとも１つの検出ラインを現在使用されているものより多くのラインに分割する、及び／若しくは少なくとも２つの検出ラインを１つの検出ラインに結合するステップと；当該観察区域における移動する人の軌跡の分析を実行するステップと；実際に行われた及び／若しくは予測される侵入並びに／又は退出イベントを決定するステップと；当該区域を現在使用されているものより多い又は少ない数の副区域に分割するステップと；のうちの少なくとも１つを使用することができる。本発明は、監視を実行するために上述したステップ又は動作の幾つかの組み合わせを可能にする。上述した監視により、区域内の人の存在の、効率的で、柔軟性があり、費用及び資源節約型の、プライバシを配慮した、且つ、信頼性のある監視が可能にされる。本発明による監視の信頼性は、監視される区域内の装置の信頼性のある正しい運転も可能にする（該運転が上記検出及び監視の結果であるからである）。
【図３】
2015512042.tif 000003
【図４】
2015512042.tif 000004
【図５ａ】
2015512042.tif 000005
【図５ｂ】
2015512042.tif 000006
【図６ａ】
2015512042.tif 000007
【図６ｂ】
2015512042.tif 000008
【図７ａ】
2015512042.tif 000009
【図７ｂ】
2015512042.tif 000010
【図８ａ】
2015512042.tif 000011
【図８ｂ】
2015512042.tif 000012
【図８ｃ】
2015512042.tif 000013
【図９】
2015512042.tif 000014
【図１０】
2015512042.tif 000015
【図１１】
2015512042.tif 000016
【図１】
2015512042.tif 000017
【図２】
2015512042.tif 000018
【国際調査報告】
2015512042.tif 000019
2015512042.tif 000020
2015512042.tif 000021